(57)【要約】【課題】簡易な構成で、通信部のモードに応じて消費電力を削減する。【解決手段】通信処理部３５は、電圧Ｖ１を電圧Ｖ３に変換する第１の変換と、電圧Ｖ１よりも低電圧な電圧Ｖ２を電圧Ｖ３に変換する第２の変換とを実行し、電圧Ｖ３を通信部３２に供給する電源部５０と、通信部３２が第１のモードで動作する場合に、電源部５０に第１の変換を実行させ、通信部３２が通常モードよりも省電力である第２のモードで動作する場合に、電源部５０に第２の変換を実行させる制御部１００を備える。【選択図】図２
2016134058.tif 000002
【特許請求の範囲】
【請求項１】
第１の電圧を、第２の電圧に変換する第１の変換と、前記第１の電圧よりも低電圧な第３の電圧を前記第２の電圧に変換する第２の変換とを実行し、前記第２の電圧を通信部に供給する電源部と、
前記通信部が第１のモードで動作する場合に、前記電源部に前記第１の変換を実行させ、前記通信部が前記第１のモードよりも省電力である第２のモードで動作する場合に、前記電源部に前記第２の変換を実行させる制御部と、
を備えることを特徴とする電源装置。
【請求項２】
前記電源部への前記第１の電圧の供給及び遮断を制御するスイッチを備え、
前記制御部は、前記第２のモードに移行する際に、前記スイッチを制御して、前記電源部への前記第１の電圧を遮断する、
ことを特徴とする請求項１記載の電源装置。
【請求項３】
前記通信部は、前記第２のモードでＬＰＩ（Ｌｏｗ Ｐｏｗｅｒ Ｉｄｌｅ）を実行する、
ことを特徴とする請求項１又は２記載の電源装置。
【請求項４】
前記電源部は、前記第１の変換と、前記第２の変換とを実行するＤＣ−ＤＣコンバーターを備える、
ことを特徴とする請求項１から３のいずれか一項に記載の電源装置。
【請求項５】
外部装置と通信を行う通信部と、
前記通信部が前記外部装置から受信した印刷データに基づき印刷を実行する印刷部と、
第１の電圧を、第２の電圧に変換する第１の変換と、前記第１の電圧よりも低電圧な第３の電圧を前記第２の電圧に変換する第２の変換とを実行し、前記第２の電圧を前記通信部に供給する電源部と、
前記通信部が第１のモードで動作する場合に、前記電源部に前記第１の変換を実行させ、前記通信部が前記第１のモードよりも省電力である第２のモードで動作する場合に、前記電源部に前記第２の変換を実行させる制御部と
を備えることを特徴とする印刷装置。
【請求項６】
外部装置との通信を行う通信部が第１のモードで動作する場合に、電圧変換を行う電源部に、第１の電圧を、第２の電圧に変換させ、変換された前記第２の電圧を前記通信部に供給し、
前記通信部が前記第１のモードよりも省電力である第２のモードで動作する場合に、前記電源部に、前記第１の電圧よりも低電圧な第３の電圧を前記第２の電圧に変換させ、変換させた前記第２の電圧を前記通信部に供給する、
ことを特徴とする電源装置の制御方法。
【発明の詳細な説明】
【技術分野】
【０００１】
本発明は、電源装置、印刷装置、及び、電源装置の制御方法に関する。
【背景技術】
【０００２】
通常モードと、通常モードよりも消費電力を抑制する省電力モードとを備えた装置が知られている（例えば、特許文献１参照）。特許文献１は、電力を供給する主電源部と、主電源部から供給される電力を蓄積する予備電源部とを備え、節電モード（省電力モード）に移行すると、予備電源部が主電源部に代わって電力を供給する電子機器を開示する。
【先行技術文献】
【特許文献】
【０００３】
【特許文献１】特開２０１４−１６７６８６号公報
【発明の概要】
【発明が解決しようとする課題】
【０００４】
ところで、電源装置においても消費電力の削減に対する要求は高い。しかしながら、特許文献１の電子機器のように予備電源を備える構成では、装置の構成が大型化し、装置の費用が高価になる。また、通信部への電源供給を制御する電源装置の場合、通信部のモードに応じた制御による消費電力の削減が求められる。
本発明は、上記事情に鑑みてなされたものであり、簡易な構成で、通信部のモードに応じて消費電力を削減することが可能な電源装置、印刷装置、及び、電源装置の制御方法を提供することを目的とする。
【課題を解決するための手段】
【０００５】
上記目的を達成するために、本発明の電源装置は、第１の電圧を、第２の電圧に変換する第１の変換と、前記第１の電圧よりも低電圧な第３の電圧を前記第２の電圧に変換する第２の変換とを実行し、前記第２の電圧を通信部に供給する電源部と、前記通信部が第１のモードで動作する場合に、前記電源部に前記第１の変換を実行させ、前記通信部が前記第１のモードよりも省電力である第２のモードで動作する場合に、前記電源部に前記第２の変換を実行させる制御部とを備えることを特徴とする。
本発明によれば、第１のモードより省電力の第２のモードを実行する場合に、より低電圧の第２の電圧から第３の電圧を生成する。このため、電圧変換の効率を向上させて、エネルギーロスを小さくすることができる。従って、簡易な構成で消費電力を削減できる。
【０００６】
また、本発明は、上記電源装置において、前記電源部への前記第１の電圧の供給及び遮断を制御するスイッチを備え、前記制御部は、前記第２のモードに移行する際に、前記スイッチを制御して、前記電源部への前記第１の電圧を遮断することを特徴とする。
本発明によれば、第２のモードで動作する場合に、第１の電圧の供給が遮断されるので、消費電力を削減することができる。
【０００７】
また、本発明は、上記電源装置において、前記通信部は、前記第２のモードでＬＰＩ（Ｌｏｗ Ｐｏｗｅｒ Ｉｄｌｅ）を実行することを特徴とする。
本発明によれば、通信部の第２のモードにおける消費電力を削減することができる。
【０００８】
また、本発明は、上記電源装置において、前記電源部は、前記第１の変換と、前記第２の変換とを実行するＤＣ−ＤＣコンバーターを備えることを特徴とする。
本発明によれば、簡易な構成で、電圧変換を行うことができ、また、電圧変換を高効率で行うことができる。
【０００９】
また、本発明の印刷装置は、外部装置と通信を行う通信部と、前記通信部が前記外部装置から受信した印刷データに基づき印刷を実行する印刷部と、第１の電圧を、第２の電圧に変換する第１の変換と、前記第１の電圧よりも低電圧な第３の電圧を前記第２の電圧に変換する第２の変換とを実行し、前記第２の電圧を前記通信部に供給する電源部と、前記通信部が第１のモードで動作する場合に、前記電源部に前記第１の変換を実行させ、前記通信部が前記第１のモードよりも省電力である第２のモードで動作する場合に、前記電源部に前記第２の変換を実行させる制御部とを備えることを特徴とする。
本発明によれば、印刷装置の電源部における電圧変換の効率を向上させて、エネルギーロスを小さくすることができ、簡易な構成で印刷装置の消費電力を削減できる。
【００１０】
また、本発明の電源装置の制御方法は、外部装置との通信を行う通信部が第１のモードで動作する場合に、電圧変換を行う電源部に、第１の電圧を、第２の電圧に変換させ、変換された前記第２の電圧を前記通信部に供給し、前記通信部が前記第１のモードよりも省電力である第２のモードで動作する場合に、前記電源部に、前記第１の電圧よりも低電圧な第３の電圧を前記第２の電圧に変換させ、変換させた前記第２の電圧を前記通信部に供給することを特徴とする。
本発明によれば、電源部の電圧変換の効率を向上させて、エネルギーロスを小さくすることができ、簡易な構成で消費電力を削減できる。
【図面の簡単な説明】
【００１１】
【図１】印刷システムのシステム構成図。
【図２】サブ基板の構成図。
【図３】制御部の処理手順を示すフローチャート。
【発明を実施するための形態】
【００１２】
以下、図面を参照して本発明の実施形態について説明する。
図１は、印刷システム１のシステム構成図である。
印刷システム１は、印刷装置２と、印刷装置２と通信を行って、印刷装置２に印刷を実行させる制御装置３とを備える。印刷装置２と、制御装置３とは、イーサネット（Ethernet（登録商標））の規格に準拠したネットワーク５を介して通信可能に接続される。
制御装置３は、印刷データ作成用のアプリケーションとプリンタードライバーとを搭載する。制御装置３は、ユーザーの指示等をトリガーとして印刷装置２に印刷させる画像や文字の情報を生成する。制御装置３は、生成した画像や文字の情報に基づいて、印刷装置２が解釈可能なコマンド体系の制御データを生成する。制御装置３は、生成した制御データを、ネットワーク５を介して印刷装置２に送信する。印刷装置２は、制御装置３から受信した制御データに基づいて印刷用紙に画像を印刷する。
【００１３】
印刷装置２は、メイン基板１０と、拡張ボードとしてのサブ基板３０とを備える。
メイン基板１０には、主制御部１１、不揮発性メモリー１２、バッファーメモリー１３、印刷部１４、電源回路１５が搭載される。
主制御部１１は、印刷エンジンとして印刷動作を制御するとともに、印刷装置２の各部を中枢的に制御する。不揮発性メモリー１２は、主制御部１１により実行されるプログラムや各種データ等を記憶する。バッファーメモリー１３は、制御装置３から受信したデータを一時的に記憶する。印刷部１４は、主制御部１１の制御に基づいて、記録媒体に印刷を行うためのハードウェアを備える。
【００１４】
電源回路１５は、交流の商用電源を直流電圧（以下、簡単に電圧という）Ｖ１（第１の電圧）に変換するＡＣアダプター７に接続される。電源回路１５は、ＡＣアダプター７から入力される電圧Ｖ１を電圧変換して、電圧Ｖ２（第３の電圧）を生成する。例えば、２４Ｖの電圧Ｖ1を電圧変換して、５Ｖの電圧Ｖ２を生成する。電源回路１５は、生成した電圧Ｖ２をメイン基板１０の各部に供給する。また、電源回路１５は、生成した電圧Ｖ２をサブ基板３０に供給する。また、サブ基板３０には、ＡＣアダプター７により変換された電圧Ｖ１も供給される。
【００１５】
メイン基板１０には、ＵＩＢ（Universal Interface Board）コネクター１７が実装され、サブ基板３０は、ＵＩＢコネクター１７を介してメイン基板１０に着脱可能に取り付けられる。サブ基板３０は、メイン基板１０の主制御部１１が、制御装置３とデータのやりとりを行うための拡張ボードであり、通信処理部３５が搭載される。図１には、サブ基板３０に通信処理部３５を搭載した構成を図示するが、サブ基板３０には、通信処理部３５以外の他の機能部を搭載してもよい。通信処理部３５は、電源装置を構成する。
【００１６】
図２は、サブ基板３０の電源供給を主とした構成図である。
サブ基板３０の通信処理部３５は、電源部５０、電子部品３１、通信部３２、ＵＳＢコントローラー３３、制御部１００を備える。電源部５０は、スイッチ５１、ＯＲゲート５２、第１電圧変換部５３、第２電圧変換部５４、第３電圧変換部５５、第４電圧変換部５６、ＯＲゲート５７を備える。通信部３２は、ＭＡＣ（Media Access Control）部３２１と、ＰＨＹ（Physical Layer)部３２２とを備える。
【００１７】
スイッチ５１は、制御部１００の制御に従い、ＡＣアダプター７から供給される電圧Ｖ１の電源部５０への入力を制御する。制御部１００によりスイッチ５１がオンされると、電圧Ｖ１がＯＲゲート５２と第４電圧変換部５６とに供給される。また、制御部１００によりスイッチ５１がオフされると、電圧Ｖ１の電源部５０への供給が遮断される。
【００１８】
ＯＲゲート５２には、スイッチ５１がオンされた場合に供給される電圧Ｖ１と、電源回路１５から供給される電圧Ｖ２とが入力される。ＯＲゲート５２は、スイッチ５１がオフされ、電圧Ｖ１が入力されなくなると、電圧Ｖ２を第１電圧変換部５３に出力する。また、ＯＲゲート５２は、スイッチ５１がオンされ、電圧Ｖ１及びＶ２が入力される場合、電圧Ｖ１及びＶ２の高い方の電圧を第１電圧変換部５３に出力する。
【００１９】
第１電圧変換部５３、第２電圧変換部５４、第３電圧変換部５５及び第４電圧変換部５６は、ＤＣ−ＤＣコンバーターにより構成される。ＤＣ−ＤＣコンバーターには、例えば、リニアレギュレーター、チョッパー回路、スイッチングレギュレータ等、種々の回路を用いることができる。
【００２０】
第１電圧変換部５３は、スイッチ５１がオンし、ＯＲゲート５２から電圧Ｖ１及びＶ２のうち、高いほうの電圧（この説明では電圧Ｖ１として説明する）が入力される場合には、電圧Ｖ１を電圧変換（第１の変換）して、電圧Ｖ３（第２の電圧）を生成する。例えば、２４Ｖの電圧Ｖ1を電圧変換して、３．３Ｖの電圧Ｖ３を生成する。また、第１電圧変換部５３は、ＯＲゲート５２から電圧Ｖ２が入力される場合には、電圧Ｖ２を電圧変換して、電圧Ｖ３を生成する。
また、第１電圧変換部５３は、スイッチ５１がオフし、第１電圧変換部５３への電圧Ｖ１の供給が遮断されると、電源回路１５から供給される電圧Ｖ２を電圧変換（第２の変換）して、電圧Ｖ３を生成する。例えば、５Ｖの電圧Ｖ２を電圧変換して、３．３Ｖの電圧Ｖ３を生成する。
第１電圧変換部５３は、生成した電圧Ｖ３を、制御部１００、通信部３２、第２電圧変換部５４及び第３電圧変換部５５に出力する。制御部１００は、電圧Ｖ３を使用して通信部３２の制御を行う。また、通信部３２は、電圧Ｖ３を駆動電圧として動作する。
【００２１】
第２電圧変換部５４は、第１電圧変換部５３から入力される電圧Ｖ３を電圧変換して、電圧Ｖ４（例えば、１．５Ｖ）を生成する。第２電圧変換部５４は、生成した電圧Ｖ４を電子部品３１に供給する。電子部品３１には、例えば、データを記憶するＤＲＡＭ等のメモリーが含まれる。また、第２電圧変換部５４は、生成した電圧Ｖ４を制御部１００に供給する。制御部１００は、電圧Ｖ４を使用して、電子部品３１としてのメモリーへのデータ書き出し、及びメモリーからのデータの読み出しを行う。
【００２２】
第３電圧変換部５５は、第１電圧変換部５３から入力される電圧Ｖ３を電圧変換して、電圧Ｖ５（例えば、１．１Ｖ）を生成する。第３電圧変換部５５は、生成した電圧Ｖ５を制御部１００に供給する。制御部１００は、第３電圧変換部５５から供給される電圧Ｖ５により動作する。
【００２３】
第４電圧変換部５６には、ＡＣアダプター７から供給される電圧Ｖ１をスイッチ５１を介して入力される。第４電圧変換部５６は、電圧Ｖ１を電圧変換して、電圧Ｖ６（例えば、５Ｖ）を生成する。第４電圧変換部５６は、生成した電圧Ｖ５をＯＲゲート５７を介してＵＳＢコントローラー３３に供給する。
【００２４】
ＯＲゲート５７には、電源回路１５から供給される電圧Ｖ２が入力される。また、ＯＲゲート５７には、スイッチ５１がオンされた場合に、第４電圧変換部５６により生成された電圧Ｖ６が入力される。ＯＲゲート５７は、スイッチ５１がオフされ、電圧Ｖ６が入力されない場合、電圧Ｖ２をＵＳＢコントローラー３３に出力する。また、ＯＲゲート５７は、スイッチ５１がオンされ、電圧Ｖ６及びＶ２が入力される場合、両方の電圧Ｖ６及びＶ２をＵＳＢコントローラー３３に出力する。
【００２５】
ＭＡＣ部３２１は、イーサネットのデータリンク層処理のコントローラーであり、ネットワーク５の規格に応じてデータをパケットに分割し、逆に、ネットワーク５を介して受信したパケットをデータに組み立てる処理を行う。
【００２６】
ＰＨＹ部３２２は、イーサネットの物理層を担うコントローラーである。ＰＨＹ部３２２は、符号化されたデータをネットワーク５の信号規格に応じた信号に変換し、ネットワーク５を介して受信した信号を符号化する。また、ＰＨＹ部３２２は、ネットワーク５を監視して、予め設定された一定時間、例えば、制御装置３から印字に係わる制御データのパケットを受信していない状態を、ＬＰＩ（Low Power Idle）状態として検出する。ＰＨＹ部３２２は、ＬＰＩ状態を検出すると、ＬＰＩ状態の検出を示す信号（以下、第１検出信号と呼ぶ）を制御部１００に出力する。また、ＰＨＹ部３２２は、第１検出信号を制御部１００に出力した後に、制御データのパケットの受信を検出すると、パケットの受信を通知する信号（以下、第２検出信号と呼ぶ）を制御部１００に出力する。
【００２７】
ＵＳＢコントローラー３３は、ＵＳＢケーブル（不図示）を介してＵＳＢデバイスに接続され、制御部１００の制御に基づいて、ＵＳＢデバイスとＵＳＢ規格に従った双方向のデータ通信を行う。
ＵＳＢコントローラー３３は、ＯＲゲート５７から入力される電圧Ｖ６又は電圧Ｖ２を駆動電圧として動作する。また、ＵＳＢコントローラー３３は、ＯＲゲート５７から入力される電圧Ｖ６及びＶ２、又は電圧Ｖ２をバス電圧（ＶＢＵＳ）として、ＵＳＢケーブルを介して接続したＵＳＢデバイスに供給する。
【００２８】
制御部１００は、サブ基板３０に搭載された機能部を制御し、イーサネット規格に準拠した通信及びＵＳＢ規格に準拠した通信等を実現する。
通信処理部３５は、動作モードとして、通常モード（第１のモード）と、省電力モード（第２のモード）とを有する。通常モードは、サブ基板３０上のすべての構成への電源供給に制限が無く、サブ基板３０上のすべての構成が駆動状態又は駆動可能な状態にあるモードをいう。制御部１００は、通常モードでは、スイッチ５１をオンして、電源部５０に電圧Ｖ１を供給可能とする。
また、省電力モードは、サブ基板３０上の一部の構成への電源供給を制限して、サブ基板３０の消費電力を削減するモードである。制御部１００は、例えば、第２通信部のＰＨＹ部３２２がＬＰＩ状態を検出すると、ＰＨＹ部３２２の上位層であるＭＡＣ部３２１に対して電力供給を停止させる、ＩＥＥＥ８０２．ａｚに規定されたＬＰＩと呼ばれる制御を行う。また、制御部１００は、省電力モードでは、通常モードのときの動作クロックよりも動作周波数の低い低速クロックにより動作し、消費電力が削減される。
【００２９】
図３は、制御部１００の処理手順を示すフローチャートである。
通常モードにおいて、制御部１００は、ＰＨＹ部３２２から第１検出信号が入力されたか否かを判定する（ステップＳ１）。ＰＨＹ部３２２は、ネットワーク５を監視して、予め設定された一定時間、制御データのパケットを受信していない場合（ＬＰＩ状態）、第１検出信号を制御部１００に出力する。制御部１００は、ＰＨＹ部３２２から第１検出信号が入力されると（ステップＳ１／ＹＥＳ）、スイッチ５１をオフして、省電力モードに移行させる（ステップＳ２）。制御部１００は、電源部５０を制御して、ＭＡＣ部３２１への電源供給を遮断し、省電力モードに移行させる。省電力モードにおいては、制御部１００は、通常モードのときの動作クロックよりも動作周波数の低い低速クロックにより動作する。これにより、制御部１００の消費電力が削減される。また、制御部１００によりスイッチ５１がオフされ、電圧Ｖ１の電源部５０への供給が遮断されるので、通信処理部３５における消費電力が削減される。また、システム電源である電圧Ｖ３（３．３Ｖ）の生成に使用される電圧が、電圧Ｖ１（２４Ｖ）から電圧Ｖ２（５Ｖ）に切り替えられる。すなわち、第１電圧変換部５３に入力される入力電圧が電圧Ｖ１（２４Ｖ）から電圧Ｖ２（５Ｖ）に切り替えられる。第１電圧変換部５３の入力電圧が電圧Ｖ１（２４Ｖ）から電圧Ｖ２（５Ｖ）に切り替えられことで、第１電圧変換部５３での電圧変換の変換効率が改善される。すなわち、電圧Ｖ１（２４Ｖ）を電圧Ｖ３（３．３Ｖ）に電圧変換するよりも、電圧Ｖ２（５Ｖ）を電圧Ｖ３（３．３Ｖ）に電圧変換するほうが、第１電圧変換部５３におけるエネルギーロスを小さくすることができる。
【００３０】
省電力モードにおいて、制御部１００は、ＰＨＹ部３２２からの信号の入力を監視する。制御部１００は、ＰＨＹ部３２２から第２検出信号が入力されると（ステップＳ３／ＹＥＳ）、スイッチ５１をオンし、通常モードに移行させる（ステップＳ４）。制御部１００は、動作クロックを、省電力モードのときの動作クロックよりも動作周波数の高い高速クロックに変更する。制御部１００によりスイッチ５１がオンされることで、電圧Ｖ１が電源部５０に供給される。従って、第１電圧変換部５３に、電圧Ｖ１が供給され、第１電圧変換部５３は、電圧Ｖ１を電圧変換して、電圧Ｖ３を生成する。
【００３１】
以上説明したように、本実施形態の通信処理部３５は、電源部５０と、制御部１００とを備える。電源部５０は、電圧Ｖ１（第１の電圧）を電圧Ｖ３（第２の電圧）に変換する第１の変換と、電圧Ｖ１よりも低電圧な電圧Ｖ２（第３の電圧）を電圧Ｖ３（第２の電圧）に変換する第２の変換とを実行する。電源部５０は、電圧Ｖ３を通信部３２に供給する。制御部１００は、通信部３２が通常モード（第１のモード）で動作する場合に、電源部５０に第１の変換を実行させ、通信部３２が通常モードよりも省電力である省電力モード（第２のモード）で動作する場合に、電源部５０に第２の変換を実行させる。従って、通信部３２が省電力モードで動作する場合は、より低電圧の電圧Ｖ２から電圧Ｖ３が生成されるので、電源部５０における電圧変換の効率の向上を図ることができる。すなわち、電力の大きい電圧Ｖ１から電圧Ｖ３を生成する第１の変換に比べ、低い電圧の電圧Ｖ２から電圧Ｖ３を生成する第２の変換は、電圧変換の効率がよく、エネルギーロスが小さい。このため、例えば通常モードから省電力モードに移行する場合に、電源部５０におけるエネルギーロスを低減することができる。このように、本実施形態によれば、簡易な構成で消費電力を削減できる。
【００３２】
また、通信処理部３５は、電源部５０への第１の電圧の供給及び遮断を制御するスイッチ５１を備える。制御部１００は、省電力モードに移行する際に、スイッチ５１を制御して、電源部５０への電圧Ｖ１を遮断する。従って、通信部３２が省電力モードに移行した場合に、電圧Ｖ１の供給が遮断されるので、消費電力を削減することができる。
【００３３】
また、通信部３２は、省電力モードにおいてＬＰＩ（Ｌｏｗ Ｐｏｗｅｒ Ｉｄｌｅ）を実行する。例えば、通常モードから省電力モードに移行する際に、制御部１００の制御により、通信部３２をＬＰＩに移行させる。これにより、通信処理部３５の省電力モードにおける消費電力を削減することができる。
【００３４】
また、電源部５０は、第１の変換と第２の変換とを、第１電圧変換部５３の備えるＤＣ−ＤＣコンバーターにより実行する。従って、簡易な構成で、電圧変換を行うことができ、また、電圧変換を高効率で行うことができる。
【００３５】
上述した実施形態は、本発明の好適な実施の形態である。但し、これに限定されるものではなく、本発明の要旨を逸脱しない範囲内で種々の変形実施が可能である。
例えば、上述した実施形態では、第１通信部を、ＵＳＢ規格に準拠した通信を行う通信部として説明したが、本発明はこれに限定されるものではい。例えば、第１通信部として、接続相手のデバイスに電源の供給が可能なＨＤＭＩ（登録商標）や、ＩＥＥＥ１３９４の規格に準拠した通信装置やデバイスを用いることもできる。
また、本発明を適用可能な電源装置は、印刷装置には限定されるものではなく、スキャナー装置や、ハードディスク装置等にも適用可能である。また、印刷装置は、ドットインパクト式プリンター、インクジェット式プリンター、熱昇華型プリンター、レーザープリンターであってもよく、他の装置に組み込まれるプリンターにも適用可能であって、その適用対象は限定されない。
また、上記実施形態に示した電源部（電源装置）の各処理をプログラムとして提供することが可能である。更に、そのプログラムをハードディスク、光ディスク、光磁気ディスク、フラッシュメモリー等の記録媒体に格納して提供することも可能である。
【符号の説明】
【００３６】
１…印刷システム、２…印刷装置、３…制御装置（外部装置）、７…ＡＣアダプター、１０…メイン基板、１１…主制御部、１２…不揮発性メモリー、１３…バッファーメモリー、１４…印刷部、１５…電源回路、１７…ＵＩＢコネクター、３０…サブ基板、３１…電子部品、３２…通信部、３３…ＵＳＢコントローラー、３５…通信処理部、５０…電源部、５１…スイッチ、５２…ＯＲゲート、５３…第１電圧変換部、５４…第２電圧変換部、５５…第３電圧変換部、５６…第４電圧変換部、５７…ＯＲゲート、１００…制御部、３２１…ＭＡＣ部、３２２…ＰＨＹ部。
【図１】
2016134058.tif 000003
【図２】
2016134058.tif 000004
【図３】
2016134058.tif 000005